(57)【要約】      （修正有）【課題】極めて良好な清掃性を実現する排水栓装置を提供する。【解決手段】洗面ボール１００に取付けられる排水口部材２と、上下動可能な支持軸４１を有する支持体４と、支持軸４１に取付けられる栓蓋５とを備え、支持体４は、栓蓋５に対する押動により、支持軸４１を上方位置にて保持することと、支持軸４１を下方位置にて保持することとを交互に行い、支持体４は、洗面ボール１００又は排水口部材２に対して取外可能な状態で取付けられ、支持軸４１を排水口部材２及び洗面ボール１００の少なくとも一方の内周にて保持する取付部４３を具備し、支持体４に上方側に向けた力を加えることで、取付部４３を取外すとともに、上方から栓蓋５及び支持体４を引抜可能であり、栓蓋５及び支持体４を引抜いた状態において、排水口部材２の内周面は、滑面状とする排水栓装置１。【選択図】図１
2014227679.tif 000002
【特許請求の範囲】
【請求項１】
槽体に取付けられるとともに、自身の内周空間が排水流路を構成する排水口部材と、
上下動可能な支持軸を有し、前記排水口部材及び前記槽体の少なくとも一方の内周に配置される支持体と、
前記支持軸の上端部に取付けられる栓蓋とを備え、
前記支持体は、前記栓蓋の上面に対する押動により、前記支持軸を所定の上方位置にて保持することと、前記支持軸を所定の下方位置にて保持することとを交互に行うことが可能な排水栓装置であって、
前記支持体は、前記槽体又は前記排水口部材に対して取外可能な状態で取付けられ、前記支持軸を前記排水口部材及び前記槽体の少なくとも一方の内周にて保持する取付部を具備し、
前記支持体に対して上方側に向けた力を加えることで、前記槽体又は前記排水口部材から前記取付部を取外すとともに、上方から前記栓蓋及び前記支持体を引抜可能であり、
前記栓蓋及び前記支持体を引抜いた状態において、前記排水口部材の内周面は滑面状であることを特徴とする排水栓装置。
【請求項２】
前記支持軸に対して前記栓蓋が着脱可能であることを特徴とする請求項１に記載の排水栓装置。
【請求項３】
前記支持体は、前記支持軸の外周に配置される筒状部を備え、
前記筒状部に対して前記支持軸が着脱可能であることを特徴とする請求項１又は２に記載の排水栓装置。
【請求項４】
前記支持軸の軸方向に沿って前記栓蓋及び前記支持軸を離間させる力を加えることで、前記支持軸から前記栓蓋を取外可能であり、
前記槽体又は前記排水口部材から前記取付部を取外す際に必要な前記上方側に向けた力が、前記支持軸から前記栓蓋を取外す際に必要な力よりも小さいことを特徴とする請求項１乃至３のいずれか１項に記載の排水栓装置。
【請求項５】
前記支持体は、前記支持軸の外周に配置される筒状部を備え、
前記支持軸の軸方向に沿って前記筒状部及び前記支持軸を離間させる力を加えることで、前記筒状部から前記栓蓋を取外可能であり、
前記槽体又は前記排水口部材から前記取付部を取外す際に必要な前記上方側に向けた力が、前記筒状部から前記支持軸を取外す際に必要な力よりも小さいことを特徴とする請求項１乃至４のいずれか１項に記載の排水栓装置。
【請求項６】
前記槽体又は前記排水口部材に対する前記取付部の取付は、前記槽体上又は前記排水口部材上に前記取付部を載置することでなされ、
少なくとも前記支持軸を上方位置にて保持しているときにおいて、前記槽体上又は前記排水口部材上に前記取付部が載置されていることを特徴とする請求項１乃至５のいずれか１項に記載の排水栓装置。
【請求項７】
前記取付部は、
外周に位置する環状の円環部と、
前記筒状部及び前記円環部間に位置するネット部とを備えるヘアキャッチャーであり、
少なくとも前記支持軸を上方位置にて保持しているときにおいて、前記円環部の外周部分が全周に亘って前記槽体又は前記排水口部材の内周面とほぼ接触していることを特徴とする請求項１乃至６のいずれか１項に記載の排水栓装置。
【請求項８】
前記取付部は、
外周に位置する環状の円環部と、
前記筒状部及び前記円環部間に位置するネット部とを備えるヘアキャッチャーであり、
前記槽体及び前記排水口部材の少なくとも一方、又は、前記槽体から前記排水口部材に至る連続体は、下方に向けて内径が減少する縮径部を有し、
前記槽体又は前記排水口部材に対する前記取付部の取付は、前記縮径部上に前記取付部を載置することでなされ、
少なくとも前記支持軸を前記上方位置にて保持しているときにおいて、前記円環部の外周部分が全周に亘って前記縮径部に対して接触していることを特徴とする請求項１乃至７のいずれか１項に記載の排水栓装置。
【請求項９】
前記支持体は、前記支持軸のうち前記栓蓋が取付けられる側の端部とは反対側の端部に取付けられる第２ヘアキャッチャーを備え、
前記支持軸に対して前記第２ヘアキャッチャーが着脱可能であることを特徴とする請求項１乃至８のいずれか１項に記載の排水栓装置。
【請求項１０】
前記支持体は、前記支持軸の上下方向に沿った移動可能範囲を調節可能なストローク量調節部を有することを特徴とする請求項１乃至９のいずれか１項に記載の排水栓装置。
【請求項１１】
前記栓蓋は、前記排水口の閉時に前記槽体又は前記排水口部材と接触する環状のシール部を有し、
前記支持軸の軸方向に沿った前記支持軸に対する前記栓蓋の相対位置を調節可能なシール位置調節部を有することを特徴とする請求項１乃至１０のいずれか１項に記載の排水栓装置。
【発明の詳細な説明】
【技術分野】
【０００１】
本発明は、槽体の排水口に設けられる排水栓装置に関する。
【背景技術】
【０００２】
従来、槽体〔例えば、浴槽や洗面ボール（ｂｏｗｌ）等〕に設けられる排水栓装置としては、槽体に取付けられる排水口部材と、排水口部材の内周に配置される上下動可能な支持軸と、前記支持軸に取付けられた栓蓋とを備えたものが知られている。また、前記栓蓋を押動する度に、前記支持軸を所定の上方位置にて保持すること（つまり、排水口を開状態とすること）と、前記支持軸を所定の下方位置にて保持すること（つまり、排水口を閉状態とすること）とを交互に行う機構部（例えば、スラストロック機構）を排水口側に設ける技術が提案されている（例えば、特許文献１，２等参照）。特許文献１に記載の技術においては、機構部に対して伸縮自在に収納された支持部材が設けられており、排水口部材の内部に横架された支持橋に対して、支持部材の端部が当接するようになっている。また、特許文献２に記載の技術においては、排水口部材の内部に設けられた支持座により機構部が保持されるようになっている。
【先行技術文献】
【特許文献】
【０００３】
【特許文献１】特開平１０−１０２５６６号公報
【特許文献２】特開平１０−１６５３２２号公報
【発明の概要】
【発明が解決しようとする課題】
【０００４】
ところで、排水口部材やその奥に位置する配管の内部の清掃を行う際に、より容易な清掃を可能とすべく、栓蓋や機構部を排水口から取外した上で、清掃を行うことが考えられる。しかしながら、上記両特許文献に記載の技術では、栓蓋や機構部を取外すことができても、排水口部材の内部に支持橋や支持座が存在することとなってしまう。そのため、支持橋や支持座が邪魔となり、排水口部材や配管の清掃に支障が生じてしまうおそれがある。
【０００５】
本発明は、上記事情を鑑みてなされたものであり、その目的は、極めて良好な清掃性を実現することができる排水栓装置を提供することにある。
【課題を解決するための手段】
【０００６】
以下、上記目的を解決するのに適した各手段につき、項分けして説明する。なお、必要に応じて対応する手段に特有の作用効果を付記する。
【０００７】
手段１．槽体に取付けられるとともに、自身の内周空間が排水流路を構成する排水口部材と、
上下動可能な支持軸を有し、前記排水口部材及び前記槽体の少なくとも一方の内周に配置される支持体と、
前記支持軸の上端部に取付けられる栓蓋とを備え、
前記支持体は、前記栓蓋の上面に対する押動により、前記支持軸を所定の上方位置にて保持することと、前記支持軸を所定の下方位置にて保持することとを交互に行うことが可能な排水栓装置であって、
前記支持体は、前記槽体又は前記排水口部材に対して取外可能な状態で取付けられ、前記支持軸を前記排水口部材及び前記槽体の少なくとも一方の内周にて保持する取付部を具備し、
前記支持体に対して上方側に向けた力を加えることで、前記槽体又は前記排水口部材から前記取付部を取外すとともに、上方から前記栓蓋及び前記支持体を引抜可能であり、
前記栓蓋及び前記支持体を引抜いた状態において、前記排水口部材の内周面は滑面状であることを特徴とする排水栓装置。
【０００８】
尚、「前記排水口部材の内周面は滑面状である」とあるのは、基本的には排水口部材の内周面に段差や突起が存在していないことを意味するが、排水口部材の内周面に、径方向内側に向けて突出する突起等が全く存在せず、排水口部材の内周面が厳密な滑面となっている場合に限らず、排水口部材の内周面に、径方向内側に向けて若干突出する微小な（例えば、径方向に沿った突出量が３ｍｍ以下の、より好ましくは２ｍｍ以下の）突起や段差が存在する場合も含む。
【０００９】
上記手段１によれば、支持体に対して上方側に向けた力を加えることで、排水口部材等から取付部を取外しつつ、上方から栓蓋及び支持体を引抜くことができる。そして、栓蓋及び支持体を引抜いた状態において、排水口部材の内周面は滑面状とされており、大きな突起等が存在しない状態とされている。従って、排水口部材やその奥に位置する配管の内部を非常に容易に清掃することができ、極めて良好な清掃性を実現することができる。
【００１０】
手段２．前記支持軸に対して前記栓蓋が着脱可能であることを特徴とする手段１に記載の排水栓装置。
【００１１】
上記手段２によれば、支持体と栓蓋とを別体とすることができるため、栓蓋や支持体を個別に清掃することができる。その結果、清掃性を一層高めることができる。
【００１２】
手段３．前記支持体は、前記支持軸の外周に配置される筒状部を備え、
前記筒状部に対して前記支持軸が着脱可能であることを特徴とする手段１又は２に記載の排水栓装置。
【００１３】
上記手段３によれば、筒状部及び支持軸を個別に清掃することができる。その結果、清掃性をより高めることができる。
【００１４】
手段４．前記支持軸の軸方向に沿って前記栓蓋及び前記支持軸を離間させる力を加えることで、前記支持軸から前記栓蓋を取外可能であり、
前記槽体又は前記排水口部材から前記取付部を取外す際に必要な前記上方側に向けた力が、前記支持軸から前記栓蓋を取外す際に必要な力よりも小さいことを特徴とする手段１乃至３のいずれかに記載の排水栓装置。
【００１５】
上記手段４によれば、排水口部材等から取付部を取外す際に必要な力が、支持軸から栓蓋を取外す際に必要な力よりも小さくなるように構成されている。従って、排水口部材等から取付部を取外す際には、栓蓋を上方側へと引き上げることで、支持軸から栓蓋が外れることなく、取付部（支持体）を取外すことができる。その結果、栓蓋や支持体の取外しが非常に容易なものとなり、清掃性をより向上させることができる。
【００１６】
手段５．前記支持体は、前記支持軸の外周に配置される筒状部を備え、
前記支持軸の軸方向に沿って前記筒状部及び前記支持軸を離間させる力を加えることで、前記筒状部から前記栓蓋を取外可能であり、
前記槽体又は前記排水口部材から前記取付部を取外す際に必要な前記上方側に向けた力が、前記筒状部から前記支持軸を取外す際に必要な力よりも小さいことを特徴とする手段１乃至４のいずれか１項に記載の排水栓装置。
【００１７】
上記手段５によれば、排水口部材等から取付部を取外す際に必要な力が、筒状部から支持軸を取外す際に必要な力よりも小さくなるように構成されている。従って、排水口部材等から取付部を取外す際には、栓蓋を上方側へと引き上げることで、筒状部から支持軸が外れることなく、取付部（支持体）を取外すことができる。その結果、栓蓋や支持体の取外しが一層容易なものとなり、清掃性を一段と向上させることができる。
【００１８】
手段６．前記槽体又は前記排水口部材に対する前記取付部の取付は、前記槽体上又は前記排水口部材上に前記取付部を載置することでなされ、
少なくとも前記支持軸を上方位置にて保持しているときにおいて、前記槽体上又は前記排水口部材上に前記取付部が載置されていることを特徴とする手段１乃至５のいずれかに記載の排水栓装置。
【００１９】
上記手段６によれば、排水口部材等に対する取付部の取付は、排水口部材等の上に取付部を載置することでなされている。そのため、排水口部材等から取付部を取外す際に必要な力が極めて小さなものとなり、取付部（支持体）の取外しが非常に容易なものとなる。その結果、清掃性をより一層向上させることができる。
【００２０】
また、上記手段４の構成を合わせて採用した場合には、排水口部材等から取付部を取外す際に必要な力が極めて小さいことから、支持軸から栓蓋を取外す際に必要な力を大きなものとする必要がない。従って、支持軸から栓蓋を容易に取外すことができ、清掃性の更なる向上を図ることができる。
【００２１】
さらに、上記手段５の構成を合わせて採用した場合には、排水口部材等から取付部を取外す際に必要な力が極めて小さいことから、筒状部から支持軸を取外す際に必要な力を比較的小さくすることができる。従って、筒状部から支持軸を容易に取外すことができ、清掃性をより一層向上させることができる。
【００２２】
手段７．前記取付部は、
外周に位置する環状の円環部と、
前記筒状部及び前記円環部間に位置するネット部とを備えるヘアキャッチャーであり、
少なくとも前記支持軸を上方位置にて保持しているときにおいて、前記円環部の外周部分が全周に亘って前記槽体又は前記排水口部材の内周面とほぼ接触していることを特徴とする手段１乃至６のいずれかに記載の排水栓装置。
【００２３】
尚、「前記円環部の外周部分が全周に亘って前記槽体又は前記排水口部材の内周面とほぼ接触する」とあるのは、円環部の外周部分全域が槽体等の内周面に接触している場合のみならず、円環部の外周部分と槽体等の内周面との間に若干（例えば、径方向に沿った幅が１ｍｍ以下）の隙間が形成されている場合も含む。
【００２４】
上記手段７によれば、支持軸を上方位置にて保持しているときにおいて（つまり、排水口が開状態であるときにおいて）、円環部の外周部分が全周に亘って槽体等の内周面にほぼ接触するように構成されている。そのため、取付部（ヘアキャッチャー）の外側から毛髪やゴミ等が流れてしまうことを抑制でき、毛髪やゴミ等をより確実に捕集することができる。また、取付部の外周と槽体等との間に汚れが付着してしまうことをより確実に防止できる。
【００２５】
手段８．前記取付部は、
外周に位置する環状の円環部と、
前記筒状部及び前記円環部間に位置するネット部とを備えるヘアキャッチャーであり、
前記槽体及び前記排水口部材の少なくとも一方、又は、前記槽体から前記排水口部材に至る連続体は、下方に向けて内径が減少する縮径部を有し、
前記槽体又は前記排水口部材に対する前記取付部の取付は、前記縮径部上に前記取付部を載置することでなされ、
少なくとも前記支持軸を前記上方位置にて保持しているときにおいて、前記円環部の外周部分が全周に亘って前記縮径部に対して接触していることを特徴とする手段１乃至７のいずれかに記載の排水栓装置。
【００２６】
上記手段８によれば、取付部は縮径部上に載置されているに過ぎないため、排水口部材等から取付部（支持体）を取外す際に必要な力が極めて小さなものとすることができる。従って、取付部（支持体）の取外しが非常に容易なものとなり、清掃性を一層向上させることができる。
【００２７】
さらに、上記手段８によれば、排水口部材等のうち取付部の取付けられる部位が、凹凸のない滑らかな面である縮径部とされている。そのため、排水口部材等のうち取付部が取付けられる部位の清掃をより容易に行うことが可能となる。
【００２８】
加えて、上記手段８によれば、支持軸を上方位置にて保持しているときにおいて（つまり、排水口が開状態であるときにおいて）、円環部の外周部分が全周に亘って縮径部に接触するように構成されている。そのため、取付部（ヘアキャッチャー）の外側から毛髪やゴミ等が流れてしまうことを防止でき、毛髪やゴミ等をより確実に捕集することができる。
【００２９】
手段９．前記支持体は、前記支持軸のうち前記栓蓋が取付けられる側の端部とは反対側の端部に取付けられる第２ヘアキャッチャーを備え、
前記支持軸に対して前記第２ヘアキャッチャーが着脱可能であることを特徴とする手段１乃至８のいずれかに記載の排水栓装置。
【００３０】
上記手段９によれば、第２ヘアキャッチャーにより、毛髪やゴミ等をより一層確実に捕集することができる。また、排水口部材のうち第２ヘアキャッチャーよりも上方側に、オーバーフロー口からの排水管（オーバーフロー管）が接続される場合には、オーバーフロー口からの排水に含まれる毛髪やゴミ等も捕集することができる。
【００３１】
さらに、支持軸に対して第２ヘアキャッチャーが着脱可能であるため、支持軸等と第２ヘアキャッチャーとを個別に清掃することができる。その結果、清掃性を一段と高めることができる。
【００３２】
手段１０．前記支持体は、前記支持軸の上下方向に沿った移動可能範囲を調節可能なストローク量調節部を有することを特徴とする手段１乃至９のいずれかに記載の排水栓装置。
【００３３】
上記手段１０によれば、ストローク調節部により支持軸の移動可能範囲を調節することができ、ひいては排水口を開状態としたときにおける栓蓋の上下方向に沿った位置を調節することができる。これにより、排水口を開状態としたときに栓蓋と槽体等との間に形成される隙間（排水時に水が流れる隙間）の大きさを調節することができ、排水速度の調節を図ることができる。
【００３４】
手段１１．前記栓蓋は、前記排水口の閉時に前記槽体又は前記排水口部材と接触する環状のシール部を有し、
前記支持軸の軸方向に沿った前記支持軸に対する前記栓蓋の相対位置を調節可能なシール位置調節部を有することを特徴とする手段１乃至１０のいずれかに記載の排水栓装置。
【００３５】
上記手段１１によれば、シール位置調節部により、支持軸の軸方向に沿った、支持体に対する栓蓋の相対位置を調節することができ、ひいては槽体や排水口部材に対するシール部の上下方向に沿った相対位置を調節することができる。これにより、槽体の厚みや形状等が種々異なる場合であっても、排水口の閉時に、シール部を槽体や排水口部材に対してより確実に密着させることができ、良好な水密性を確保することができる。
【図面の簡単な説明】
【００３６】
【図１】排水栓装置の構成を示す一部破断正面図である。
【図２】排水口を開状態としたときの排水栓装置を示す一部破断正面図である。
【図３】栓蓋及び支持体を引抜いた状態における排水栓装置を示す断面図である。
【図４】第２実施形態における排水栓装置を示す一部破断正面図である。
【図５】第２実施形態において、栓蓋及び支持体を引抜いた状態における排水栓装置を示す断面図である。
【図６】第３実施形態における排水栓装置を示す一部破断正面図である。
【図７】第３実施形態において、栓蓋及び支持体を引抜いた状態における排水栓装置を示す断面図である。
【図８】第４実施形態における排水栓装置を示す断面図である。
【図９】第４実施形態において、栓蓋及び支持体を引抜いた状態における排水栓装置を示す断面図である。
【図１０】別の実施形態における、支持軸等の構成を示す断面図である。
【図１１】別の実施形態における、支持軸等の構成を示す断面図である。
【図１２】ストローク調節部等を示す断面図である。
【図１３】シール位置調節部を構成する雄ねじ部等を示す断面図である。
【発明を実施するための形態】
【００３７】
以下に、実施形態について図面を参照しつつ説明する。
〔第１実施形態〕
図１に示すように、排水栓装置１は、槽体としての洗面ボール１００に形成された排水口１０１に挿設されている。本実施形態において、洗面ボール１００は、下方に向けて延びる筒状の垂下部１０２と、垂下部１０２の下端から径方向内側に向けて突出する環状の張出部１０３とを備えている。そして、張出部１０３の内周に、前記排水口１０１が形成されている。
【００３８】
排水栓装置１は、排水口１０１に挿通される排水口部材２と、洗面ボール１００の背面に設けられる環状部材３と、排水口部材２及び洗面ボール１００の少なくとも一方（本実施形態では、双方）の内周に配置される支持体４と、支持体４に取付けられた栓蓋５とを備えている。
【００３９】
排水口部材２は、所定の樹脂（例えば、ＰＯＭ等）により筒状に形成されており、自身の中心軸と前記排水口１０１の中心軸とがほぼ一致するように排水口１０１に挿通されている。そして、排水口部材２の内周空間は、洗面ボール１００に貯留された水等を排出するための排水流路を構成している。
【００４０】
また、排水口部材２の上端部には、外周側に突出形成された環状の鍔部２１が形成されており、当該鍔部２１よりも下方側の外周面には、雄ねじ部２２が形成されている。鍔部２１は、張出部１０３上に配置されており、また、鍔部２１の外周面と垂下部１０２の内周面との間には、弾性変形可能な材料（例えば、樹脂やゴム等）により形成された環状の封止部材６が設けられている。封止部材６は、鍔部２１及び垂下部１０２で挟み込まれた状態となっており、封止部材６により、洗面ボール１００及び排水口部材２間に対する水の浸入防止が図られている。
【００４１】
また、排水口部材２のうち前記雄ねじ部２２よりも下方側には、筒状の枝分かれ管１０４が連結されている。枝分かれ管１０４は、洗面ボール１００に形成されたオーバーフロー口（図示せず）からの排水が流れるオーバーフロー管１０５と接続されており、オーバーフロー口からの排水は、オーバーフロー管１０５及び枝分かれ管１０４を通って排水口部材２の前記排水流路へと流れ込むようになっている。
【００４２】
また、本実施形態において、排水口部材２の内周面は、径方向内側に向けて突出する突起や段差が存在しない滑面状とされている。さらに、本実施形態において、排水口部材２の下端部には、筒状の配管（図示せず）が接続されており、排水口部材２の内周を通過した排水は前記配管を通って排出されるようになっている。尚、排水口部材２の下方に排水パンなどを設ける場合、前記配管を設けないこととしてもよい。
【００４３】
環状部材３は、所定の樹脂により形成されており、その内周に、前記雄ねじ部２２を螺合可能な雌ねじ部３１を備えている。そして、前記雄ねじ部２２が雌ねじ部３１に螺合され、鍔部２１及び環状部材３により張出部１０３を挟み込むことにより、排水口部材２が洗面ボール１００に取付けられている。
【００４４】
支持体４は、所定の樹脂からなる棒状の支持軸４１と、当該支持軸４１の外周に配置された筒状部４２と、筒状部４２の外周から径方向外側に延びる取付部４３とを備えている。
【００４５】
支持軸４１は、その上端部が栓蓋５の背面中央に設けられた筒状の嵌合部５１に嵌合されており、栓蓋５が着脱可能な状態で取付けられている。また、支持軸４１の上端部外周には、環状の溝が形成されており、当該溝には、径方向に沿って弾性変形可能な環状のＯリング７が配置されている。当該Ｏリング７は、支持軸４１の外周面から径方向外側に若干突出しており、嵌合部５１に支持軸４１を嵌合した際に、支持軸４１の外周面及び嵌合部５１の内周面に挟み込まれる。その結果、支持軸４１の軸方向に沿って栓蓋５及び支持軸４１を離間させる方向に力を加えることで、支持軸４１から栓蓋５を取外すことができるものの、支持軸４１から栓蓋５を取外す際に必要な力が比較的大きなものとなっている。尚、支持軸４１から栓蓋５を取外す際に必要な力は、支持軸４１に対するＯリング７の径方向外側に向けた突出量を調節することで、変更することができる。
【００４６】
筒状部４２は、支持軸４１を上下動可能に保持しており、その内部に、栓蓋５の上面に対する押動により、支持軸４１を所定の上方位置にて保持することと、支持軸を所定の下方位置にて保持することとを交互に行うことが可能な図示しない機構部（例えば、スラストロック機構など）を備えている。尚、本実施形態において、支持軸４１の上下方向に沿った移動可能範囲は、一定とされている。
【００４７】
取付部４３は、外周に位置する円環状の円環部４３Ａと、筒状部４１及び円環部４３Ａ間に位置するネット部４３Ｂとを備えている。円環部４３Ａは、少なくとも支持軸４１を上方位置にて保持しているときに排水口部材２の上端部に載置されている。これにより、取付部４３は、排水口部材２に対して取外し可能な状態で取付けられている。尚、「円環部４３Ａが、少なくとも支持軸４１を上方位置にて保持しているときに排水口部材２の上端部に載置される」と規定しているのは、排水口１０１を閉鎖すべく、支持軸４１を前記下方位置にて保持しているときに、栓蓋５の後述するシール部５３が洗面ボール１００に接触し、その結果、円環部４３Ａが排水口部材２の上端部から離間することがあるためである。
【００４８】
さらに、支持軸４１を上方位置にて保持しているときにおいて（つまり、排水口１０１が開状態であるときにおいて）、円環部４３Ａは、垂下部１０２の内径とほぼ等しい外径を有しており、円環部４３Ａの外周部分が全周に亘って垂下部１０２の内周面にほぼ接触するように構成されている。尚、「ほぼ接触」とあるのは、円環部４３Ａの外周部分全域と垂下部１０２の内周面と接触している場合のみならず、円環部４３Ａの外周部分と垂下部１０２との間に微小な（例えば、径方向に沿った幅が１ｍｍ以下の）隙間が存在している場合も含む。
【００４９】
ネット部４３Ｂは、上下に貫通する多数の孔部（図示せず）を有しており、当該孔部を通して水が排出されるようになっている。その一方で、個々の孔部の大きさは十分に小さくされており、ネット部４３Ｂにより、排水とともに流れてくるゴミや毛髪等が捕集されるようになっている。すなわち、本実施形態における取付部４３は、ヘアキャッチャーとなっている。
【００５０】
栓蓋５は、ＰＯＭ等の樹脂からなる円板部５２と、当該円板部５２の外周下方側に設けられた弾性変形可能な素材（例えば、樹脂やゴム等）からなる環状のシール部５３とを備えている。前記円板部５２は、その表面がなだらかに湾曲する形状をなしており、当該表面は、外観品質の向上を図るべく、金属製の被覆部５２Ａで覆われている。また、シール部５３は、外周側に向けて徐々に薄くなるように構成されており、排水口１０１の閉時には、その外周部分の全周が洗面ボール１００に対して接触するようになっている。
【００５１】
また、図２に示すように、前記上方位置にて支持軸４１が保持されることにより、シール部５３が洗面ボール１００から離間し、排水口１０１が開放されるようになっている。一方で、図１に示すように、前記下方位置にて支持軸４１が保持されることにより、シール部５３の外周全域が洗面ボール１００に接触し、その結果、排水口１０１が閉鎖されるようになっている。
【００５２】
また、支持体４は、支持軸４１のうち栓蓋５が取付けられる側の端部とは反対側の端部（下端部）に取付けられた、所定の樹脂からなる第２ヘアキャッチャー４４を備えている。第２ヘアキャッチャー４４は、オーバーフロー管１０４に接続された枝分かれ管１０４の前記排水流路側の開口よりも常に下方に配置されており、第２ヘアキャッチャー４４により、オーバーフロー口からの排水に含まれるゴミや毛髪等を捕集できるようになっている。また、第２ヘアキャッチャー４４は、外周に設けられた円環状のリング部４４Ａと、排水口部材２の軸方向に沿って延びる軸部４４Ｂと、リング部４４Ａ及び軸部４４Ｂ間に設けられた第２ネット部４４Ｃとを備えている。
【００５３】
軸部４４Ｂは、その上端部に筒状の嵌合部４４Ｄを備えており、当該嵌合部４４Ｄに対して支持軸４１の下端部が嵌合されている。尚、支持軸４１の下端部外周には、その上端部外周と同様に、環状の溝が形成されており、当該溝には、弾性変形可能な環状のＯリング８が配置されている。当該Ｏリング８は、支持軸４１の外周面から径方向外側に若干突出しており、嵌合部４４Ｄに支持軸４１を嵌合した際に、支持軸４１の外周面及び嵌合部４４Ｄの内周面に挟み込まれる。そのため、支持軸４１の軸方向に沿って第２ヘアキャッチャー４４及び支持軸４１を離間させる方向に力を加えることで、支持軸４１から第２ヘアキャッチャー４４を取外すことができるものの、支持軸４１から第２ヘアキャッチャー４４を取外す際に必要な力が比較的大きなものとなっている。尚、支持軸４１から第２ヘアキャッチャー４４を取外す際に必要な力は、支持軸４１に対するＯリング８の径方向外側に向けた突出量を調節することで、変更することができる。
【００５４】
また、本実施形態において、取付部４３（円環部４３Ａ）は、上述の通り、排水口部材２の上端部に載置されている。そのため、支持体４に対して上方側に向けた力を加えることで、図３に示すように、排水口部材２から取付部４３を容易に取外すことができるとともに、上方から栓蓋５及び支持体４を引抜くことができるようになっている。
【００５５】
さらに、本実施形態では、排水口部材２から取付部４３を取外す際に必要な前記上方側に向けた力が、支持軸４１から栓蓋５を取外す際に必要な力よりも小さくされている。そのため、栓蓋５を上方側へと引上げることで、栓蓋５が支持体４から外れることなく、栓蓋５及び支持体４の双方を引抜くことができるようになっている。
【００５６】
そして、栓蓋５及び支持体４を引抜いた状態において、排水口部材２の内周面は、径方向内側に向けて非突出状、つまり、径方向内側に向けて突出する部位が存在しない滑面状となっている。
【００５７】
以上詳述したように、本実施形態によれば、栓蓋５及び支持体４を引抜いた状態において、排水口部材２の内周面は滑面状とされている。従って、排水口部材２やその奥に位置する前記配管の内部を非常に容易に清掃することができ、極めて良好な清掃性を実現することができる。
【００５８】
さらに、支持軸４１に対して栓蓋５が着脱可能であり、支持体４と栓蓋５とを別体とすることができる。そのため、栓蓋５や支持体４を個別に清掃することができ、清掃性を一層高めることができる。
【００５９】
加えて、排水口部材２から取付部４３を取外す際に必要な力が、支持軸４１から栓蓋５を取外す際に必要な力よりも小さくなるように構成されている。従って、排水口部材から取付部４３を取外す際には、栓蓋５を上方側へと引きあげることで、支持軸４１から栓蓋５が外れることなく、取付部４３（支持体４）を取外すことができる。その結果、栓蓋５や支持体４の取外しが非常に容易なものとなり、清掃性をより向上させることができる。
【００６０】
また、排水口部材２に対する取付部４３の取付は、排水口部材２上に取付部４３を載置することでなされている。そのため、排水口部材２から取付部４３を取外す際に必要な力が極めて小さなものとなり、取付部４３（支持体４）の取外しが非常に容易なものとなる。その結果、清掃性をより一層向上させることができる。
【００６１】
さらに、排水口部材２から取付部４３を取外す際に必要な力を、支持軸４１から栓蓋５を取外す際に必要な力よりも小さくなるように構成するにあたり、本実施形態では、排水口部材２から取付部４３を取外す際に必要な力が極めて小さくなることから、支持軸４１から栓蓋５を取外す際に必要な力をさほど大きなものとする必要がない。従って、支持軸４１から栓蓋５を容易に取外すことができ、清掃性の更なる向上を図ることができる。
【００６２】
また、支持軸４１を上方位置にて保持しているときにおいて、円環部４３Ａの外周部分が全周に亘って垂下部１０２の内周面にほぼ接触するように構成されている。そのため、取付部４３（ヘアキャッチャー）の外側から毛髪やゴミ等が流れてしまうことを抑制でき、毛髪やゴミ等をより確実に捕集することができる。また、取付部４３の外周と洗面ボール１００との間に汚れが付着してしまうことをより確実に防止できる。
【００６３】
加えて、第２ヘアキャッチャー４４により、排水口１０１やオーバーフロー口から流れてくる毛髪やゴミ等をより一層確実に捕集することができる。また、支持軸４１に対して第２ヘアキャッチャー４４が着脱可能であるため、支持軸４１等と第２ヘアキャッチャー４４とを個別に清掃することができる。その結果、清掃性を一段と高めることができる。
〔第２実施形態〕
次いで、第２実施形態について、上記第１実施形態との相違点を中心に説明する。上記第１実施形態において、取付部４３は、排水口部材２の上端部に載置されることで、排水口部材２に取付けられている。これに対して、本第２実施形態では、図４に示すように、第２ヘアキャッチャー４４の外周に、下方に向けて延びるとともに下端部が外周側に突出し、かつ、径方向に沿って弾性変形可能な爪部４４Ｅが設けられており、爪部４４Ｅ及びリング部４４Ａにより、取付部４５が構成されている。そして、爪部４４Ｅ及びリング部４４Ａ（つまり、取付部４５）により、排水口部材２の内周に設けられた小突起部２４を挟み込むことで、取付部４５が排水口部材２に取付けられている。
【００６４】
また、支持体４に対して上方側に向けた力を加えることで、爪部４４Ｅが径方向内側に弾性変形し、その結果、取付部４５を排水口部材２から取外すことができるようになっている。さらに、取付部４５を排水口部材２から取外す際に必要な力は、支持軸４１から栓蓋５を取外す際に必要な力よりも小さなものとされている。そのため、栓蓋５に対して上方側に向けた力を加えることで、図５に示すように、排水口部材２から取付部４５を取外すことができるとともに、栓蓋５が支持体４から外れることなく、上方から栓蓋５及び支持体４を引抜くことができるようになっている。
【００６５】
また、前記小突起部２４は、径方向内側に突出しているが、その突出量は非常に小さなもの（例えば、３ｍｍ以下であり、より好ましくは、２ｍｍ以下）とされている。そのため、栓蓋５及び支持体４を引抜いた状態において、排水口部材２の内周面は滑面状となっている。
【００６６】
以上、本第２実施形態によれば、基本的には上記第１実施形態と同様の作用効果が奏されることとなる。すなわち、栓蓋５に対して上方側に向けた力を加えることで、排水口部材２から取付部４５を取外しつつ、栓蓋５が支持体４から外れることなく、栓蓋５及び支持体４を引抜くことができる。そして、栓蓋５及び支持体４を引抜いた状態において、排水口部材２の内周面は大きな突起が存在しない滑面状となるため、排水口部材２やその奥に位置する配管の内部を非常に容易に清掃することができる。その結果、極めて良好な清掃性を実現することができる。
〔第３実施形態〕
次いで、第３実施形態について、上記第１実施形態との相違点を中心に説明する。図６に示すように、本第３実施形態において、槽体としての洗面ボール１１０は、下方に向けて延び、排水口部材１２０が接続される筒状の垂下部１１１を備えており、当該垂下部１１１の内周面に、下方に向けて内径が徐々に減少するテーパ状の縮径部１１２が形成されている。そして、支持体４の取付部４３は、前記縮径部１１２上に載置されることで、洗面ボール１１０に取付けられている。尚、取付部４３は、少なくとも支持軸４１を前記上方位置にて保持しているときにおいて、前記縮径部１１２上に載置される。排水口１０１を閉鎖すべく、支持軸４１を前記下方位置にて保持しているときには、栓蓋５のシール部５３が洗面ボール１１０に接触し、その結果、取付部４３が縮径部１１２から離間することがあるためである。
【００６７】
また、少なくとも支持軸４１を前記上方位置にて保持しているとき（つまり、取付部４３が縮径部１１２上に載置されているとき）において、円環部４３Ａの外周部分が全周に亘って縮径部１１２に対して接触するように構成されている。
【００６８】
尚、本第３実施形態において、排水口部材１２０は、例えば、ねじ止めなどにより、洗面ボール１１０の背面に取付けられている。また、上記第１実施形態と同様に、排水口部材１１２の内周面は、径方向内側に向けて非突出状、つまり、径方向内側に向けて突出する突起等が存在しない滑面状となっている。
【００６９】
さらに、支持体４又は栓蓋５に対して上方側に向けた力を加えることで、洗面ボール１１０から取付部４３を取外すとともに、上方から栓蓋５及び支持体４を引抜くことができるようになっている。そして、図７に示すように、栓蓋５及び支持体４を引抜いた状態において、排水口部材１２０の内周面は滑面状となっている。
【００７０】
以上、本第３実施形態によれば、基本的には上記第１実施形態と同様の作用効果が奏されることとなる。
【００７１】
加えて、本第３実施形態によれば、洗面ボール１１０のうち取付部４３の取付けられる部位が、凹凸のない滑らかな面である縮径部１１２とされている。そのため、洗面ボール１１０のうち取付部４３が取付けられる部位の清掃をより容易に行うことが可能となる。
【００７２】
さらに、支持軸４１を上方位置にて保持しているときにおいて、円環部４３Ａの外周部分が全周に亘って縮径部１１２に接触するように構成されている。そのため、取付部４３（ヘアキャッチャー）の外側から毛髪やゴミ等が流れてしまうことを防止でき、毛髪やゴミ等をより確実に捕集することができる。
〔第４実施形態〕
次いで、第４実施形態について、上記実施形態との相違点を中心に説明する。本第４実施形態では、図８に示すように、支持体１３０は、栓蓋５を支持する支持軸１３１と、支持軸１３１の外周に配置される筒状部１３２と、筒状部１３２の内周において上下動可能に支持される下軸１３３と、下軸１３３の下方において下軸１３３と直列的に配置された機構部１３４（例えば、スラストロック機構など）とを備えている。支持軸１３１は、上下動可能であるとともに、その下端部が下軸１３３の上端部に接触している。そのため、下軸１３３が上下動することで、下軸１３３とともに上下動するようになっている。
【００７３】
また、栓蓋５の上面を押した際に、その力が機構部１３４に伝達されるようになっている。そして、機構部１３４は、栓蓋５の上面の押動により、下軸１３３を上方にて保持することと、下方にて保持することとを交互に行うことができるようになっている。また、下軸１３３の上下動に伴い、支持軸１３１は、所定の上方位置にて保持されることと、所定の下方位置にて保持されることとが交互に行われるようになっている。
【００７４】
さらに、本第４実施形態において、支持軸１３１は、下軸１３３の上端部に載置されており、また、その上下方向に沿った移動が何ら規制されない状態では筒状部１３２に挿通されている。そのため、筒状部１３２に対して支持軸１３１が着脱可能であり、支持軸１３１を筒状部１３２からスムーズに引き抜くことができるようになっている。
【００７５】
加えて、本第４実施形態において、排水口部材１４０は、洗面ボール１１０の背面に対してねじ止め等により固定される筒状の第１構成部１４１と、自身の内周に設けられた雌ねじ部１４２Ａが第１構成部１４１の外周に設けられた雄ねじ部１４１Ａに螺合されることで、第１構成部１４１と直列的に接続される第２構成部１４２とを備えている。そして、第１構成部１４１の内周面は、径方向内側に若干突出しているが、その突出量は非常に小さなもの（例えば、３ｍｍ以下であり、より好ましくは、２ｍｍ以下）とされている。すなわち、排水口部材１４０の内周面は滑面状とされている。
【００７６】
また、本第４実施形態において、円環部１３５Ａ及びネット部１３５Ｂを有する取付部１３５は、第１構成部１４１に載置されることで、排水口部材１４０に取付けられている。そして、支持体１３０に対して上方側に向けた力を加えることで、排水口部材１４０から取付部１３５を取外すとともに、上方から栓蓋５及び支持体１３０を引抜くことができるようになっている。そして、図９に示すように、栓蓋５及び支持体１３０を引抜いた状態において、排水口部材１４０の内周面は滑面状となっている。
【００７７】
以上、本第４実施形態によれば、基本的には上記第１実施形態と同様の作用効果が奏されることとなる。
【００７８】
加えて、本第４実施形態では、筒状部１３２に対して支持軸１３１が着脱可能である。そのため、筒状部１３２及び支持軸１３１を個別に清掃することができ、清掃性をより高めることができる。
【００７９】
尚、上記実施形態の記載内容に限定されず、例えば次のように実施してもよい。勿論、以下において例示しない他の応用例、変更例も当然可能である。
【００８０】
（ａ）上記第４実施形態では、栓蓋５を上方へと引上げた際に、栓蓋５及び支持軸１３１がともに上方へと引抜かれ、筒状部１３２や取付部１３５等が残存するように構成されている。これに対して、栓蓋５を上方へと引上げた際に、栓蓋５及び支持軸１３１とともに、筒状部１３２や取付部１３５が外れるように構成してもよい。
【００８１】
具体的には、図１０に示すように、筒状部１３２の内周に、径方向内側に突出する被係止部１３２Ａを設ける一方で、支持軸１３１の外周に、径方向外側に突出し前記被係止部１３２Ａに係止可能であるとともに、径方向に沿って弾性変形可能な係止部１３１Ａを設ける。そして、排水口部材１４０から取付部１３５を取外す際に必要な力を、筒状部１３２から支持軸１３１を取外す（引抜く）際に必要な力よりも小さくする。これにより、栓蓋５を上方へと引上げた際に、支持軸１３１とともに筒状部１３２や取付部１３５が外れることとなる。従って、栓蓋５や支持体１３０の取外しが一層容易なものとなり、清掃性を一段と向上させることができる。
【００８２】
尚、筒状部１３２や支持軸１３１に対して、支持軸１３１の軸方向に沿って両者を離間させる力を加えることで、筒状部１３２から支持軸１３１を取外すことができる。ここで、取付部１３５は、排水口部材１４０に載置されることで排水口部材１４０に取付けられているため、排水口部材１４０から取付部１３５を取外す際に必要な力は極めて小さい。そのため、排水口部材１４０から取付部１３５を取外す際に必要な力を、筒状部１３２から支持軸１３１を取外す際に必要な力よりも小さくしつつ、筒状部１３２から支持軸１３１を取外す際に必要な力を十分に小さくすることができる。従って、筒状部１３２から支持軸１３１を容易に取外すことができ、清掃性をより一層向上させることができる。
【００８３】
さらに、図１１に示すように、下軸１３３の上端部に、径方向に沿って弾性変形可能な筒状の被係止部１３３Ａを設ける一方で、支持軸１３１の下端部に、前記被係止部１３３Ａに挿通されるとともに被係止部１３３Ａに係止可能な係止部１３１Ｂを設ける。そして、排水口部材１４０から取付部１３５を取外す際に必要な力を、筒状部１３２から支持軸１３１を取外す（引抜く）際に必要な力よりも小さくする。これにより、栓蓋５を上方へと引上げた際に、支持軸１３１とともに筒状部１３２や取付部１３５が外れることとなり、栓蓋５や支持体１３０の取外しがより容易なものとなる。
【００８４】
尚、筒状部１３２や支持軸１３１に対して、支持軸１３１の軸方向に沿って両者を離間させる力を加えることで、筒状部１３２から支持軸１３１を引抜くことができる。また、取付部１３５は、排水口部材１４０に載置されることで排水口部材１４０に取付けられているため、排水口部材１４０から取付部１３５を取外す際に必要な力は極めて小さい。そのため、排水口部材１４０から取付部１３５を取外す際に必要な力を、筒状部１３２から支持軸１３１を取外す際に必要な力よりも小さくしつつ、筒状部１３２から支持軸１３１を取外す際に必要な力を十分に小さくすることができる。従って、筒状部１３２から支持軸１３１を容易に取外すことができる。
【００８５】
また、図１２に示すように、支持軸１３１の外周に、径方向に沿って弾性変形可能なＣリング１３６を設けることで、栓蓋５を上方へと引上げた際に、支持軸１３１とともに筒状部１３２や取付部１３５が外れるように構成してもよい。
【００８６】
（ｂ）図１２に示すように、機構部１３４の内周に、下軸１３３の下端部の上下方向に沿った位置を調節することで、機構部１３４の上端部の上下方向に沿った移動量（ストローク量）を調節し、ひいては支持軸１３１の上下方向に沿った移動可能範囲を調節することができる雄ねじ状のストローク調節部１３７を設けることとしてもよい。ストオーク調節部１３７を設けることで、排水口１１３を開状態としたときに栓蓋５（シール部５３）と洗面ボール１１０との間に形成される隙間（排水時に水が流れる隙間）の大きさを調節することができる。その結果、排水速度の調節を図ることができる。
【００８７】
（ｃ）上記第１実施形態において、栓蓋５は、自身の嵌合部５１に支持軸４１が嵌合されることで支持軸４１に取付けられている。これに対して、図１３に示すように、嵌合部５１の内周に雌ねじ部５１Ａを設け、支持軸４１の先端部に設けられた雄ねじ部４１Ａを前記雌ねじ部５１Ａに螺合することで、支持軸４１に栓蓋５が取付けられるように構成してもよい。この場合には、雌ねじ部５１Ａに対する雄ねじ部４１Ａの螺合量を調節することで、支持軸４１の軸方向に沿った、支持軸４１に対する栓蓋５の相対位置を調節することができる。これにより、洗面ボール１００や排水口部材２に対するシール部５３の上下方向に沿った相対位置を調節することができる。その結果、洗面ボール１００等の厚みや形状等が種々異なる場合であっても、排水口１０１の閉時に、シール部５３を洗面ボール１００に対してより確実に密着させることができ、良好な水密性を確保することができる。すなわち、上記においては、雄ねじ部４１Ａ及び雌ねじ部５１Ａにより、本発明の「シール位置調節部」が構成されている。尚、図１３に示すように、支持軸４１の外周にナット部材４１Ｂを設け、当該ナット部材４１Ｂにより支持軸４１に対する栓蓋５の相対回転を規制することで、シール部５３の上下方向に沿った位置に変動が生じてしまうことを防止してもよい。
【００８８】
（ｄ）上記第３実施形態では、洗面ボール１００に縮径部１１２が設けられ、当該縮径部１１２上に取付部４３が載置されている。これに対して、例えば、排水口部材や、洗面ボールから排水口部材に至る連続体（連続面）に縮径部を設け、当該縮径部上に取付部を載置することとしてもよい。
【００８９】
（ｅ）上記実施形態において、支持体は、排水口部材及び洗面ボール（浴槽）の双方の内周に配置されているが、支持体は、排水口部材の内周のみに配置されていてよいし、洗面ボール（浴槽）の内周のみに配置されていてもよい。
【００９０】
（ｆ）上記実施形態では、取付部４３を構成するヘアキャッチャーや第２ヘアキャッチャー４４が設けられているが、必ずしもヘアキャッチャーを設ける必要はない。
【００９１】
（ｇ）排水口部材や洗面ボール等に対する取付部の取付態様は、上記実施形態のものに限定されるものではない。従って、例えば、排水口部材の内周に窪み部を設け、当該窪み部に取付部を配置することで、排水口部材に対して取付部を取付けることとしてもよい。
【００９２】
（ｈ）上記実施形態では、排水口の閉時に、シール部５３が洗面ボール１００や洗面ボール１１０に接触するように構成されているが、排水口の閉時に、シール部５３が排水口部材に接触するように構成してもよい。
【００９３】
（ｉ）上記実施形態において、排水栓装置１は、槽体として洗面ボール１００（１１０
）に取付けられているが、排水栓装置１の取付対象は洗面ボールに限られるものではなく、その他の槽体（例えば、浴槽等）に排水栓装置１を取付けることとしてもよい。
【符号の説明】
【００９４】
１…排水栓装置、２，１２０，１４０…排水口部材、４，１３０…支持体、５…栓蓋、４１，１３１…支持軸、４２，１３２…筒状部、４３，４５，１３５…取付部、４３Ａ，１３５Ａ…円環部、４３Ｂ，１３５Ｂ…ネット部、４４…第２ヘアキャッチャー、１００…洗面ボール（槽体）、１０１，１１３…排水口、１１２…縮径部、１３７…ストローク調節部。
【図１】
2014227679.tif 000003
【図２】
2014227679.tif 000004
【図３】
2014227679.tif 000005
【図４】
2014227679.tif 000006
【図５】
2014227679.tif 000007
【図６】
2014227679.tif 000008
【図７】
2014227679.tif 000009
【図８】
2014227679.tif 000010
【図９】
2014227679.tif 000011
【図１０】
2014227679.tif 000012
【図１１】
2014227679.tif 000013
【図１２】
2014227679.tif 000014
【図１３】
2014227679.tif 000015